(57)【特許請求の範囲】
【請求項１】
支持部材に対して被支持部材をロッキング可能に支持する椅子の支持機構において、変位により弾発力を蓄える付勢手段を備えて伸縮可能な第１リンク部材と、前記被支持部材と連動して揺動する第２リンク部材と、固定される第３リンク部材とを備え、前記第２リンク部材に前記第１リンク部材と前記第３リンク部材との一端を回転可能に連結すると共に前記第１リンク部材と前記第３リンク部材との他端同士を回転可能に連結して拘束回転連鎖を構成し、前記第３リンク部材の固定位置を調整ねじで移動可能にすることにより前記被支持部材のロッキングの反力の大きさを調整可能にしたことを特徴とする椅子の支持機構。
【請求項２】
前記第１リンク部材と前記第２リンク部材と前記第３リンク部材とは、前記第３リンク部材の移動により前記第１リンク部材が圧縮するにつれて、前記第１リンク部材及び前記第２リンク部材の連結部分の回転中心と前記第２リンク部材の回転中心とを結ぶ直線に対して前記第１リンク部材の付勢方向が成す付勢角度θを直角に近付けるように設置したことを特徴とする請求項１記載の椅子の支持機構。
【請求項３】
前記支持部材としての座受部材に対し前端側で揺動自在に支持されている前記被支持部材としての座の後部を形成する後側座と、前記座の前部を形成する前側座と、前記前側座を前記座受部材に前後動可能に支持する摺動手段と、前記前側座の後端部と前記後側座の前端部とを連結する連結手段とを備えることを特徴とする請求項１または２記載の椅子の支持機構。
【請求項４】
前記摺動手段は、後方に移動する前記前側座を下降させると共に前方に移動する前記前側座を上昇させることを特徴とする請求項３記載の椅子の支持機構。
【発明の詳細な説明】
【０００１】
【発明の属する技術分野】
本発明は、座や背凭れをロッキング可能な椅子の支持機構に関する。さらに詳述すると、本発明は、ロッキングの反力を調整できる椅子の支持機構に関するものである。
【０００２】
【従来の技術】
座や背凭れをロッキング可能とした椅子では、座や背凭れを原位置に復帰させるために圧縮コイルばねやガススプリング等から成る付勢ばねを使用している。そして、着座者の体格や使用状態に応じてロッキングの反力の大きさを調整するために、ロッキングの反力調整機構を備えた椅子がある。
【０００３】
この反力調整機構としては、例えば調整ねじを使用して付勢ばねの初期圧縮長さを変更するものがある。これは、付勢ばねの初期圧縮長さを変更することにより付勢ばねの初圧を変更してロッキングの反力の大きさを調整するものである。
【０００４】
また、反力調整機構の他の例としては、付勢ばねを傾斜させて座等に付勢する角度を変更するものがある。これは、付勢ばねの座等に取り付けられた部分を中心に例えば調整ねじを使用して付勢ばねを傾斜させて座等に付勢する方向を変更するものである。これにより、座や背凭れが傾斜するときに付勢ばねから受ける反力が変化するので、ロッキングの反力の大きさを調整することができる。
【０００５】
【発明が解決しようとする課題】
しかしながら、上述した付勢ばねの初期圧縮長さを変更する反力調整機構では、反力を大きくするために調整ねじを締める方向に回転させなければならないので、大きな操作力を必要としてしまう。このため、特に力の弱い女性等にとって操作性が悪いものとなってしまう。
【０００６】
また、上述した付勢ばねの付勢角度を変更する反力調整機構では、付勢ばねの付勢角度を変更しても初期圧縮長さは一定であるので、その初圧を変更することはできない。このため、背凭れや座のロッキングの初期の反力がほぼ一定になってしまうので、椅子の使用感が余り良くなかった。
【０００７】
そこで、本発明は、ロッキングの反力を操作性良く調整できる椅子の支持機構を提供することを目的とする。
【０００８】
【課題を解決するための手段】
かかる目的を達成するため、請求項１記載の発明は、支持部材に対して被支持部材をロッキング可能に支持する椅子の支持機構において、変位により弾発力を蓄える付勢手段を備えて伸縮可能な第１リンク部材と、被支持部材と連動して揺動する第２リンク部材と、固定される第３リンク部材とを備え、第２リンク部材に第１リンク部材と第３リンク部材との一端を回転可能に連結すると共に第１リンク部材と第３リンク部材との他端同士を回転可能に連結して拘束回転連鎖を構成し、第３リンク部材の固定位置を調整ねじで移動可能にすることにより被支持部材のロッキングの反力の大きさを調整可能にするようにしている。
【０００９】
したがって、被支持部材をロッキングさせるために外力を与えると、第２リンク部材が被支持部材に連動して揺動する。そして、第３リンク部材は固定されていることから、第２リンク部材の揺動により第２リンク部材と第３リンク部材との間で第１リンク部材が伸縮する。第１リンク部材は変位により付勢手段に弾発力を蓄えるので、この弾発力がロッキングの反力となって被支持部材を原位置に復帰させる方向に作用する。
【００１０】
ここで、被支持部材をロッキングする際の反力の大きさを調整するときは、調整ねじを操作して第３リンク部材の固定位置を変更する。これにより、第２リンク部材と第３リンク部材との成す角度が変更されるので、第１リンク部材の初期長さ及び第２リンク部材に対する付勢角度が同時に変化する。このため、第１リンク部材の初期長さ及び付勢角度を同時に変更できるので、付勢手段の初期長さまたは付勢角度のいずれか一方のみを変更する従来の反力調整機構に比べて調整ねじの操作量に対する反力の変更量を大きくすることができる。
【００１１】
また、請求項２記載の発明は、請求項１記載の椅子の支持機構における第１リンク部材と第２リンク部材と第３リンク部材とが、第３リンク部材の移動により第１リンク部材が圧縮するにつれて、第１リンク部材及び第２リンク部材の連結部分の回転中心と第２リンク部材の回転中心とを結ぶ直線に対して第１リンク部材の付勢方向が成す付勢角度θを直角に近付けるように設置されている。
【００１２】
したがって、ロッキングの反力を調整する際に、第１リンク部材の初期長さ及び付勢角度θの変更によるそれぞれのロッキング反力の変化を増加または減少のいずれか一方に一致させることができる。このため、第１リンク部材の初期長さ及び付勢角度θの変更によるそれぞれのロッキング反力の変化が相殺することはないので、調整ねじの操作量に対する反力の変更量を大きくすることができる。
【００１３】
さらに、請求項３記載の発明は、請求項１又は２記載の椅子の支持機構において、支持部材としての座受部材に対し前端側で揺動自在に支持されている被支持部材としての座の後部を形成する後側座と、座の前部を形成する前側座と、前側座を座受部材に前後動可能に支持する摺動手段と、前側座の後端部と後側座の前端部とを連結する連結手段とを備えるようにしている。
【００１４】
したがって、着座者が背凭れや座を原位置から後傾させる際には、後側座がその前端側の回転中心周りに後方へ沈み込むように揺動するので、後側座の前端部が持ち上がることなく後方に移動する。そして、後側座は後傾しながら前側座を後方に引いて移動させる。また、後側座は原位置に復帰しながら前側座を前方に押して移動させる。ここで、前側座は摺動手段により座受部材に前後動可能に支持されているので、座を後傾させるときの座の前部の上昇を抑えることができる。このため、着座者の大腿部の圧迫を防止できると共に着座者の大腿部が持ち上げられて脚が床から離れてしまうことを防止できる。
【００１５】
また、請求項４記載の椅子の支持機構では、摺動手段は後方に移動する前側座を下降させると共に前方に移動する前側座を上昇させるようにしている。したがって、着座者が座を後傾させたときに座の前部が下降するので、着座者の大腿部の圧迫を防止できると共に着座者の大腿部が持ち上げられて着座者の脚が床から離れることを防止できる。
【００１６】
【発明の実施の形態】
以下、本発明の構成を図面に示す実施の形態の一例に基づいて詳細に説明する。図１〜図５に示すように、本実施形態の椅子の支持機構１は、支持部材である座受部材２に対して被支持部材である後側座３をロッキング可能に支持するものである。
【００１７】
この支持機構１は、変位により弾発力を蓄える付勢手段５を備えて伸縮可能な第１リンク部材４と、後側座３と連動して揺動する第２リンク部材１４と、固定される第３リンク部材１１とを備えると共に、第３リンク部材１１の固定位置を調整ねじ１２で移動可能にすることにより後側座３のロッキングの反力の大きさを調整可能にしている。ここで、第２リンク部材１４に第１リンク部材４と第３リンク部材１１とのそれぞれの一端を回転可能に連結すると共に第１リンク部材４と第３リンク部材１１との他端同士を回転可能に連結して３つのリンク部材４，１４，１１により拘束回転連鎖を構成している。このため、調整ねじ１２を操作して第３リンク部材１１の固定位置を変更することにより、第２リンク部材１４と第３リンク部材１１とのなす角度が変更されるので、第１リンク部材４の初期長さ及び第２リンク部材１４に対する付勢角度θを同時に変更することができる。よって、調整ねじ１２の操作量に対するロッキング反力の変更量を大きくすることができる。
【００１８】
第１リンク部材４は、付勢手段５と、付勢手段５の前端部を支持する前側ばねマウント７と、付勢手段５の後端部を支持する後側ばねマウント８とを備えている。付勢手段５としては、図２に示すように座受部材２の内側に前後を長手方向として平行に設置した２本の圧縮コイルばねを使用している。本実施形態では付勢手段５として圧縮コイルばねを使用しているが、これには限られず例えばガススプリング等を用いても良い。
【００１９】
前側ばねマウント７は、第２リンク部材１４に支持軸１６により回転可能に連結される。後側ばねマウント８は、第３リンク部材１１に支持軸６により回転可能に連結される。そして、後側ばねマウント８には前側ばねマウント７に向けて突出する案内軸９が形成されている。また、前側ばねマウント７には案内軸９を摺動可能に収容する案内孔１０が形成されている。このため、各マウント７，８は、付勢手段５を挟持して保持すると共に付勢手段５の弾発力を受けながら互いに接近または離隔可能とされている。
【００２０】
後側座３は、クッション（図示せず）を受け支える後側座板１３と、この後側座板１３の前部に固着された第２リンク部材１４とを備えている。第２リンク部材１４は、座受部材２に対してロッキング軸１５により回転可能に連結されている。第２リンク部材１４はＬ字形状で、座受部材２の内側の左右両側に設けられている。そして、後側座板１３を水平にしたときに、図１及び図３に示すように第２リンク部材１４の一辺は水平で他辺は鉛直に成るようにしている。これにより、ロッキング軸１５は後側座３の前部の下方に配置されるので、図５に示すように座が水平に支持されている基本姿勢時に後側座３の高さが最も高く（脚高さ一定として）、後側座３が後傾するに従ってその前端部を沈めながら後方に移動することができる。これにより、体が後ろに沈む時に座も沈むので大腿部を圧迫することもないし足が床から離れる不安定感も無くすことができる。
【００２１】
さらに、第３リンク部材１１は、その一端が第２リンク部材１４の回転中心となるロッキング軸１５で支持されることにより座受部材２及び第２リンク部材１４の双方に対して回転可能に連結されている。ここで、第３リンク部材１１は、第１リンク部材４と連結されている他端側で第１リンク部材４に付帯する付勢手段５の弾発力で支持軸６を介して押し下げられている。このため、第３リンク部材１１の下部の軸受溝２１が昇降棒１９に押し付けられて固定されている。本実施形態では、第３リンク部材１１の一端を座受部材２及び第２リンク部材１４に対して同時に回転可能に連結しているが、これには限られずロッキング軸１５以外の軸ないしピン等で第２リンク部材１４あるいは座受部材２に連結されることによって、座受部材２または第２リンク部材１４の一方のみに回転可能に連結しても良い。また、第１リンク部材４と第２リンク部材１４と第３リンク部材１１とが拘束回転連鎖を構成できるのであれば座受部材２及び第２リンク部材１４以外の部材に回転可能に連結しても良い。いずれの場合も、調整ねじ１２を操作して第３リンク部材１１の固定位置を変更することにより第１リンク部材４の初期圧縮長さ及び第２リンク部材１４に対する付勢角度θを同時に変更することができるので、調整ねじ１２の操作量に対するロッキング反力の変更量を大きくすることができる。
【００２２】
この支持機構１では、第１リンク部材４と第２リンク部材１４と第３リンク部材１１とは、図１及び図３に示すように第３リンク部材１１の移動により第１リンク部材４が圧縮するにつれて、第１リンク部材４及び第２リンク部材１４の連結部分の回転中心（即ち支持軸１６）と第２リンク部材１４の回転中心（即ちロッキング軸１５）とを結ぶ直線Ｃ２に対して第１リンク部材４の付勢方向Ｃ１が成す付勢角度θを直角に近付けるように設置している。このため、ロッキングの反力を調整する際に、第１リンク部材４の初期圧縮長さ及び付勢角度θの変更によるそれぞれのロッキング反力の変化を増加または減少のいずれか一方に一致させることができるので、調整ねじ１２の操作量に対する反力の変更量を大きくすることができる。
【００２３】
本実施形態では、図４に示すように第３リンク部材１１を最も上部に位置させたときにロッキング軸１５と支持軸１６を結ぶ直線Ｃ２と第１リンク部材４の中心線Ｃ１とが成す付勢角度θをほぼ直角にしている。そして、第３リンク部材１１の回転可能な範囲を約１５度としている。すなわち、上述した第１リンク部材４の付勢角度θを、例えば図１に示す約７５度から図４に示す約９０度の範囲で変更可能なようにしている。そして、第１リンク部材４の付勢角度θを約９０度より大きくしようとすると、第３リンク部材１１がストッパ（図示せず）に当接してそれ以上回転しないようにしている。また、第１リンク部材４の付勢角度θを約７５度より小さくしようとすると、昇降棒１９がそれよりも下がらなくなって第１リンク部材４がそれ以上回転しないようにしている。
【００２４】
これにより、図４に示すように第３リンク部材１１が最も上部に位置したときに、付勢手段５が最も圧縮されると同時に付勢手段５の付勢方向が第２リンク部材１４の回転方向とほぼ同方向となるので、第２リンク部材１４への反力が最大になる。一方、図１に示すように第３リンク部材１１が最も下部に位置したときに、付勢手段５が最も伸長されると同時に付勢手段５の付勢方向が第２リンク部材１４の回転方向から最もずれるので、第２リンク部材１４への反力が最小になる。
【００２５】
本実施形態では、第３リンク部材１１を最も上部に位置させたときの第１リンク部材４の付勢角度θをほぼ直角にすると共に第３リンク部材１１の回転可能な範囲を約１５度としているが、これには限られないのは勿論である。付勢角度θや第３リンク部材１１の回転可能な角度を他の値としても、調整ねじ１２を操作して第３リンク部材１１の固定位置を変更することにより第１リンク部材４の初期圧縮長さ及び第２リンク部材１４に対する付勢角度θを同時に変更することができるので、調整ねじ１２の操作量に対するロッキング反力の変更量を大きくすることができる。
【００２６】
調整ねじ１２は、第３リンク部材１１の真下に位置されて座受部材２の外側から内側に貫通して回転可能に取り付けられている。調整ねじ１２は、座受部材２の内側に突出するねじ部１７と座受部材２の外側にあるグリップ１８とを有している。ねじ部１７には、昇降棒１９の中央部に形成されたねじ孔２０が螺合されている。この昇降棒１９は、左右方向を長手方向として、中央部に上下に貫通するねじ孔２０を有すると共に、第３リンク部材１１を下側から押し上げて固定している。図３に示すように、第３リンク部材１１の左右の下縁の中央部には昇降棒１９の両端部２２，２２の直径よりも前後に若干長い軸受溝２１，２１が形成されている。昇降棒１９の両端部２２，２２は、それぞれ第３リンク部材１１の左右の軸受溝２１，２１に収容されている。このため、着座者が調整ねじ１２のグリップ１８を回転させるとねじ部１７が回転して昇降棒１９を上下に移動させる。これにより、第３リンク部材１１がロッキング軸１５を中心に回転して付勢手段５の付勢角度θ及び初期圧縮長さを変更する。よって、第２リンク部材１４のロッキング反力を調整することができる。
【００２７】
このとき、第３リンク部材１１の揺動に伴い、昇降棒１９の両端部２２，２２が第３リンク部材１１の軸受溝２１，２１の内部で前後に摺動する。これにより、両端部２２，２２が軸受溝２１，２１に対して前後に固定されることは無いので、これらの干渉により第３リンク部材１１の揺動が妨害されることはない。
【００２８】
一方、この椅子の支持機構１は、後側座３の前側に設けられて座の前部を形成する前側座２３と、前側座２３を座受部材２に前後動可能に支持する摺動手段３４と、前側座２３の後端部と後側座３の前端部とを連結する連結手段２９とを備えている。すなわち、この椅子の支持機構１はロッキングの際に座の前後で傾斜角度の異なるいわゆるダブルロッキングを行うものである。前側座２３は、クッション（図示せず）を下方から支持する前側座板２４と、この前側座板２４に固着された摺動部材２５とを備えている。また、前側座板２４により支持されるクッションと後側座板１３により支持されるクッションとは、隙間無く連続したものとしている。
【００２９】
連結手段２９は、摺動部材２５の後部と第２リンク部材１４とを回転可能に連結する軸から成る。このため、第２リンク部材１４が後方に傾斜すると、連結手段２９が前側座２３を後方に引っ張って移動させる。また、後傾した第２リンク部材１４が原位置に向けて復帰するときは、連結手段２９が前側座２３を前方に押して移動させる。本実施形態では、連結手段２９を摺動部材２５の後部と第２リンク部材１４とを回転可能に連結する軸としているが、これには限られず例えば摺動部材２５の後部に前後を長手方向とする長穴を形成して第２リンク部材１４に左右に突出する係合軸を固定すると共にこれら長穴と係合軸を摺動可能に嵌合させるようにしても良い。この場合、後側座３が後傾するときは係合軸が長穴の後端部に引っ掛かって前側座２３を後側に移動させると共に、後側座３が原位置に復帰するときは後側座３に取り付けられたクッションが前側座２３に取り付けられたクッションを前側に押圧して前側座２３を前方に押し出して移動させる。
【００３０】
摺動手段３４は、摺動部材２５の前部に取り付けられると共に左右に貫通して突出する前側支持軸２６と、座受部材２の各側壁２ａ，２ａの前端部に形成された前後を長手方向とする前側支持穴２７とを備えている。前側支持穴２７は前側を上にして後側を下にして傾斜している。また、各前側支持穴２７，２７に前側支持軸２６の両端部が摺動可能に支持されている。このため、前側座２３が前側に移動するときはその前部が上昇すると共に、前側座２３が後側に移動するときはその前部が下降する。これにより、後側座３を後傾させるときの前側座２３の上昇を抑えることができるので、着座者の大腿部の圧迫を防止できると共に着座者の脚が床から離れることを防止できる。
【００３１】
ここで、前側支持穴２７の傾斜角度は、第２リンク部材１４の後傾により連結手段２９が図１に示す最上位置から図５に示す最下位置に移動するときに描く円弧の軌跡とほぼ平行となるようにしている。このため、第２リンク部材１４の後傾により連結手段２９が図１に示す最上位置から図５に示す最下位置に移動して前側座２３の後部が下降しても前側座２３の前部が同量だけ下降するので、前側座２３は水平状態をほぼ維持しながら下降する。これにより、前側座２３が着座者の大腿部の裏側を押し上げ圧迫することを防止できると共に床から足が離れるのを防いで不安定感を与えないようにできる。
【００３２】
本実施形態では、前側支持穴２７の傾斜角度を連結手段２９の最上位置と最下位置との間の円弧の軌跡とほぼ平行となるようにしているが、これには限られず前側支持穴２７の傾斜角度を上述の円弧の軌跡よりも大きく傾斜させても良い。この場合、前側座２３が後側に移動するときに前側座２３の後側よりも前側の方が大きく下降するので、後側座３を後傾すると前側座２３は前傾する。よって、この場合も前側座２３が着座者の大腿部の裏側を押し上げることを防止できる。さらに、前側支持穴２７の傾斜角度を例えば水平のように上述の円弧の軌跡よりも水平側に傾斜させても良い。この場合、後側座３を後傾すると前側座２３も後傾する。よって、この場合も前側座２３が着座者の大腿部の裏側を押し上げることを防止できる。
【００３３】
一方、後側座３の後端部と座受部材２の後端部との間には、ガスダンパ３０が取り付けられている。そして、後側座３の後側には背凭れ（図示せず）が設けられている。この背凭れは後側座３のロッキングに連動するものとしている。この背凭れと後側座３とは一体化して同じ角度だけ傾斜するようにしたり、いわゆるシンクロ機構により背凭れの傾斜角度と後側座３の傾斜角度とが一定関係を維持して傾斜するようにしても良い。このガスダンパ３０は、バルブの開閉によってロッドのシリンダからの出入りを許容ないしロックして、全長を伸縮可能にすると共に任意の位置で長さを固定できるガススプリングである。したがって、ガスダンパ３０の開閉操作により、背凭れや座の傾きを任意の位置で固定しあるいは傾動可能とする。即ち、ガスダンパ３０をフリーにしておけば、着座者が背凭れに体重を掛けると、背凭れ及び後側座３が付勢手段５に抗して傾斜される。着座者が体重を掛けるのを止めると、背凭れ及び後側座３は付勢手段５の付勢力により原位置に復帰する。他方、ガスダンパ３０をロックしておけば、座受部材２と後側座３及びガスダンパ３０が固定連鎖を構成し、座及び背凭れが傾動不能となる。
【００３４】
また、ガスダンパ３０の座受部材２に取り付けられる端部には、ガスダンパ３０の操作ピン３１を押圧してガスダンパ３０のバルブを開閉する調整レバー３２及びその作動機構（図示せず）が設けられている。このため、作動機構を操作してガスダンパ３０のロックとフリーを制御することができる。
【００３５】
さらに、座受部材２は脚柱（図示せず）により支持されている。また、座受部材２の周囲はカバー部材３３により覆われている。
【００３６】
上述した椅子の支持機構１を使用する際は、着座者が背凭れに体重を掛けて傾斜させることによりロッキングを行うことができる。このとき、後側座３をロッキングさせるために外力を与えると、第２リンク部材１４が後側座３に連動して揺動する。そして、第３リンク部材１１は固定されていることから、第２リンク部材１４の揺動により第２リンク部材１４と第３リンク部材１１との間で第１リンク部材４が伸縮する。さらに、第１リンク部材４の変位により蓄えられた弾発力がロッキングの反力となって後側座３を原位置に復帰させる方向に作用する。これにより、ロッキングを行うことができる。
【００３７】
ここで、後側座３の第２リンク部材１４の後傾に伴い前側座２３が下降しながら後側に移動する。このため、着座者の大腿部の裏側を圧迫することや脚を床から持ち上げることを防止できる。
【００３８】
また、グリップ１８を回転させることにより昇降棒１９が昇降して第３リンク部材１１を回転させる。このため、第１リンク部材４の初期圧縮長さと第２リンク部材１４に対する付勢角度θが同時に変更されるので、後側座３の後傾の反力を調整ねじ１２の操作量に対して大きく変更することができる。
【００３９】
上述した本実施形態の椅子の支持機構１によれば、後側座３の後傾の反力を調整するために第１リンク部材４の初期圧縮長さと第２リンク部材１４に対する付勢角度θを同時に変更しているので、付勢ばねの初期圧縮長さまたは付勢角度のいずれか一方のみを変更する従来の椅子の支持機構に比べて調整ねじ１２の操作量に対する反力の変更量を大きくすることができる。このため、調整ねじ１２の操作可能な範囲を従来と同じくした場合は、ロッキング反力の変更可能な範囲を広くすることができる。また、反力を一定量だけ変更するためには、従来に比べて調整ねじ１２の操作量を少なくしたり、若しくは操作量を従来と同等にして操作力を軽くすることができる。したがって、反力調整の際の操作性を向上することができる。
【００４０】
しかも、付勢手段５の初期圧縮長さを変更しているのでロッキングの初圧を調整することができる。これにより、椅子の使用感を向上させることができる。
【００４１】
また、昇降棒１９が第３リンク部材１１に係合する軸受溝２１の形成位置を第３リンク部材１１の前後方向の中央部分としているので、支持軸６のストロークは昇降棒１９のストロークの約２倍になる。このため、調整ねじ１２の少ない操作で第３リンク部材１１の大きな回転角度を得ることができるので、反力調整の際の操作性を向上することができる。
【００４２】
さらに、本実施形態の椅子の支持機構１によれば、後側座３の第２リンク部材１４の後傾に伴い前側座２３が下降しながら後側に移動するので、着座者の大腿部の裏側を圧迫することや脚を床から持ち上げることを防止できる。このため、着座者がロッキングする時の違和感を無くして座り心地を向上することができる。
【００４３】
なお、上述の実施形態は本発明の好適な実施の一例ではあるがこれに限定されるものではなく本発明の要旨を逸脱しない範囲において種々変形実施可能である。例えば本実施形態では支持機構１を座受部材２に対して後側座３を支持するものとしているが、これには限られず例えば座受部材２や座に対して背凭れを支持するものに適用することができる。また、本実施形態では支持機構１をダブルロッキング可能な椅子に搭載しているが、これには限られず通常のロッキングを行う椅子に搭載しても良い。この場合も、後側座３の後傾の反力を調整するために第１リンク部材４の初期圧縮長さと第２リンク部材１４に対する付勢角度θを同時に変更することにより、反力調整の際の操作性を向上することができる。
【００４４】
【発明の効果】
以上の説明より明らかなように、請求項１記載の椅子によれば、第２リンク部材に第１リンク部材と第３リンク部材との一端を回転可能に連結すると共に第１リンク部材と第３リンク部材との他端同士を回転可能に連結して拘束回転連鎖を構成しているので、調整ねじを操作して第１リンク部材の初期長さ及び傾斜角度θを同時に変更することにより被支持部材をロッキングさせる際の反力を調整することができる。これにより、付勢ばねの圧縮長さまたは付勢角度のいずれか一方のみを変更する従来の反力調整機構に比べて調整ねじの操作量に対する反力の変更量を大きくすることができる。このため、調整ねじの操作可能な範囲を従来と同じくした場合は、ロッキング反力の変更可能な範囲を広くすることができる。また、反力を一定量だけ変更するためには、従来に比べて調整ねじの操作量を少なくしたり、若しくは操作量を従来と同等にして操作力を軽くすることができる。したがって、反力調整の際の操作性を向上することができる。
【００４５】
しかも、付勢ばねの初期長さを変更しているのでロッキングの初圧を調整できる。よって、椅子の使用感を向上させることができる。
【００４６】
また、請求項２記載の椅子の支持機構では、第３リンク部材の移動により第１リンク部材が圧縮するにつれて、第１リンク部材及び第２リンク部材の連結部分の回転中心と第２リンク部材の回転中心とを結ぶ直線に対して第１リンク部材の付勢方向が成す付勢角度θを直角に近付けるようにしているので、第１リンク部材の初期圧縮長さ及び付勢角度θの変更によるそれぞれのロッキング反力の変化を増加または減少のいずれか一方に一致させることができる。このため、第１リンク部材の初期圧縮長さ及び付勢角度θの変更によるそれぞれのロッキング反力の変化が相殺することはないので、調整ねじの操作量に対する反力の変更量を大きくすることができる。
【００４７】
また、請求項３記載の椅子の支持機構では、支持部材としての座受部材に対し前端側で揺動自在に支持されている被支持部材としての座の後部を形成する後側座と、座の前部を形成する前側座と、前側座を座受部材に前後動可能に支持する摺動手段と、前側座の後端部と後側座の前端部とを連結する連結手段とを備えるようにしているので、座を後傾させるときの座の前部の上昇を抑えることができる。このため、ロッキング時に着座者の大腿部の圧迫を防止できると共に足が床から離れて不安定感を与えることを防止できる。よって、着座者が座や背凭れをロッキングさせる時の違和感を無くして椅子の座り心地を向上することができる。
【００４８】
さらに、請求項４記載の椅子の支持機構では、摺動手段は後方に移動する前側座を下降させると共に前方に移動する前側座を上昇させるので、着座者の大腿部の圧迫を防止できると共に着座者の大腿部が持ち上げられて脚が床から離れてしまうことを防止できる。よって、着座者が座や背凭れをロッキングさせる時の違和感を無くして椅子の座り心地を向上することができる。
【図面の簡単な説明】
【図１】本発明の椅子の支持機構のロッキング反力が最も小さいときに座が原位置にある状態を示す中央縦断面図である。
【図２】椅子の支持機構を示す平面図である。
【図３】図１に示す椅子の支持機構の主要部を示す側面図である。
【図４】椅子の支持機構のロッキング反力が最も大きいときに座が原位置にある状態を示す中央縦断面図である。
【図５】椅子の支持機構のロッキング反力が最も小さいときに座が後傾した状態を示す中央縦断面図である。
【符号の説明】
１  椅子の支持機構
２  座受部材（支持部材）
３  後側座（被支持部材）
４  第１リンク部材
５  付勢ばね
６  反力調整機構
１１  第３リンク部材
１２  調整ねじ
１４  第２リンク部材
１５  ロッキング軸
２３  前側座
２９  連結手段
３４  摺動手段
【図１】
0003998222.tif 000002
【図２】
0003998222.tif 000003
【図３】
0003998222.tif 000004
【図４】
0003998222.tif 000005
【図５】
0003998222.tif 000006